(57)【要約】      （修正有）【課題】使い勝手の良い浴槽を提供する。【解決手段】浴槽１は洗い場２を有する浴室Ｂに設置された状態で、洗い場２側の側面部３の左右中央上部に設けられ、上方から見た平面視において、洗い場２側に延びた上端縁の左右両端部よりも洗い場２側に突出した手かけ部３０を備えており、手かけ部３０は洗い場２側に延びた上端縁から洗い場２から離れる方向に向けて下方に傾斜し、上方に向けて突出して湾曲した湾曲面によって形成された上面１０Ｅを有している。【選択図】図１
2020028366.tif 000002
【特許請求の範囲】
【請求項１】
洗い場を有する浴室に設置された状態で、前記洗い場側の側面部の上部に設けられ、上方から見た平面視において、洗い場側に延びた上端縁の少なくとも両端部のいずれか一方よりも前記洗い場側に突出した手かけ部を備えており、
前記手かけ部は、前記洗い場側に延びた上端縁から前記洗い場から離れる方向に向けて下方に傾斜し、上方に向けて突出して湾曲した湾曲面又は平面によって形成された上面を有していることを特徴とする浴槽。
【請求項２】
前記手かけ部は、前記洗い場から離れるにつれて上端から下端までの寸法が大きくなることを特徴とする請求項１に記載の浴槽。
【請求項３】
前記手かけ部は、前記洗い場側の前記側面部に向けて下方に傾斜し、上方に向けて窪んで湾曲した湾曲面又は平面によって形成され、下端が前記洗い場側の前記側面部に連続した下面を有し、
前記上面が前記下面より傾斜が緩やかであることを特徴とする請求項１又は２に記載の浴槽。
【発明の詳細な説明】
【技術分野】
【０００１】
本発明は浴槽に関する。
【背景技術】
【０００２】
特許文献１には、内槽から外方へほぼ水平に延出するフランジと、フランジから連続して垂下したリムとを備える浴槽本体と、防水パンの浴槽載置部と洗い場とを離隔する土手部上に着脱自在に立設され浴槽本体の洗い場側前面を覆うエプロンとを備える浴槽において、フランジ下面からリムにほぼ平行して垂下するリブと、リブ前面側側面に当接するエプロン上端とリム裏面との間に嵌装されエプロン上端をリブに押圧固定するガスケットとを備えた浴槽が開示されている。この浴槽には、フランジ、リム及びガスケットによって入浴者把持用のグリップ部が形成されている。
【先行技術文献】
【特許文献】
【０００３】
【特許文献１】特開２００５−２９６１８５号公報
【発明の概要】
【発明が解決しようとする課題】
【０００４】
しかし、特許文献１は、内槽の洗い場側の側面の両端部が、両端に向かうにつれて洗い場から離れて湾曲し、グリップ部（手かけ部）が洗い場側の側面部の全体にわたって形成されている。このため、この浴槽のグリップ部の両端部は掴み難く、掴まれることが少ないと考えられる。この浴槽は、上方から見た平面視において、掴まれる頻度が少ないと考えらえるグリップ部の一部によって洗い場の領域の一部を占有している。
【０００５】
本発明は、上記従来の実情に鑑みてなされたものであって、使い勝手の良い浴槽を提供することを解決すべき課題としている。
【課題を解決するための手段】
【０００６】
本発明の浴槽は、
洗い場を有する浴室に設置された状態で、前記洗い場側の側面部の上部に設けられ、上方から見た平面視において、洗い場側に延びた上端縁の少なくとも両端部のいずれか一方よりも前記洗い場側に突出した手かけ部を備えており、
前記手かけ部は、前記洗い場側に延びた上端縁から前記洗い場から離れる方向に向けて下方に傾斜し、上方に向けて突出して湾曲した湾曲面又は平面によって形成された上面を有していることを特徴とする。
【０００７】
この浴槽は、手をかける頻度が少ない洗い場側に延びた上端縁の少なくとも両端部のいずれか一方よりも、洗い場側の側面部の上部が洗い場側に突出した手かけ部を備えている。このため、上方から見た平面視において、この浴槽は、手をかける頻度が少ない洗い場側に延びた上端縁の両端部が洗い場側に突出することを抑えることによって、洗い場の領域を占有することを抑えることができる。
【０００８】
したがって、本発明の浴槽は使い勝手が良い。
【図面の簡単な説明】
【０００９】
【図１】浴室内における、実施例１の浴槽、及び浴槽に隣り合う洗い場の配置を示す上方から見た平面図である。
【図２】図１における矢視Ａ−Ａ断面図である。
【図３】図１における矢視Ｂ−Ｂ断面図である。
【図４】実施例１の浴槽のエプロン本体をエプロンカバーが取り付けられる側から見た斜視図である。
【図５】実施例１の浴槽のエプロンカバーをエプロン本体に取り付ける側から見た斜視図である。
【図６】図３における矢視Ｃ−Ｃ断面図であって、（Ａ）は爪部本体がねじの右側に位置し、エプロンカバーの被係止部の長孔の下方に位置した状態を示し、（Ｂ）は爪部本体がねじの上側に位置し、エプロンカバーの被係止部の長孔に挿入された状態を示す。
【図７】図１の矢視Ａ−Ａ断面図における、浴室内に設置された浴槽本体に取り付けられたエプロン本体にエプロンカバーを取り付ける取付け方法を示し、（Ａ）はエプロンカバーの被当接部をエプロン本体の第２垂下部の第２基部の下方に配置した状態であり、（Ｂ）は第２垂下部の第２垂下片に被当接部を係合させた状態であり、（Ｃ）はエプロンカバーの被係止部の下端面をエプロン本体の係止部の上端面に当接させた状態である。
【図８】図１の矢視Ｂ−Ｂ断面図における、浴室内に設置された浴槽本体に取り付けられたエプロン本体にエプロンカバーを取り付ける取付け方法を示し、（Ａ）はエプロンカバーの係合部、及び被当接部をエプロン本体の第１垂下部の第１基部、及び当接部の下方に配置した状態であり、（Ｂ）は第１垂下部の第１垂下片に係合部を係合させた状態であり、（Ｃ）はエプロンカバーの被係止部の長孔にエプロン本体の爪部の爪部本体を挿入し、エプロンカバーの被当接部の上端面をエプロン本体の当接部の下端面に当接させた状態である。
【図９】図１の矢視Ａ−Ａ断面図において、洗い場から浴槽の手かけ部に手をかけた状態を示し、（Ａ）は（Ｂ）に比べて大きい手が手かけ部に手をかけた状態であり、（Ｂ）は（Ａ）に比べて小さい手が手かけ部に手をかけた状態である。
【図１０】図１の矢視Ａ−Ａ断面図において、浴槽本体側から浴槽の手かけ部に手をかけた状態を示し、（Ａ）は（Ｂ）に比べて大きい手が手かけ部に手をかけた状態であり、（Ｂ）は（Ａ）に比べて小さい手が手かけ部に手をかけた状態である。
【発明を実施するための形態】
【００１０】
本発明における好ましい実施の形態を説明する。
【００１１】
本発明の浴槽の手かけ部は、洗い場から離れるにつれて上端から下端までの寸法が大きくなり得る。使用者が洗い場側から手かけ部に手をかける際、使用者の手の指は、親指と他の指とが互いに対向し、指先に向かうに従って互いの間が広がる格好になる。この場合、この浴槽は、洗い場に居る使用者が手かけ部に手を延ばした際、手の指の格好が手かけ部の形に沿い易く、手をかけ易い。
【００１２】
本発明の浴槽の手かけ部は、洗い場側の側面部に向けて下方に傾斜し、上方に向けて窪んで湾曲した湾曲面又は平面によって形成され、下端が洗い場側の側面部に連続した下面を有し、上面が下面より傾斜が緩やかであり得る。この場合、この浴槽の手かけ部は、上方に向けて窪んで湾曲した湾曲面又は平面によって形成された下面を有しているため、使用者の手の指に馴染み易い。また、上面が下面より傾斜が緩やかであるため、使用者が上面に手をかけ易く体重を預け易い。
【００１３】
次に、本発明の浴槽を具体化した実施例１について、図面を参照しつつ説明する。
【００１４】
＜実施例１＞
実施例１の浴槽１は、図１に示すように、洗い場２を有する浴室Ｂに設置され、洗い場２に隣合い配置されている。
浴槽１は、浴槽本体１０、エプロン本体１１、及びエプロンカバー１２を備えている（図２、３参照。）。浴槽本体１０は下方向に窪み形成された凹部１０Ａを有している。凹部１０Ａは上方から見た平面視において左右方向（左右は、図１における、上側下側である。以下同じ）に延びたほぼ楕円形状をなしている。浴槽本体１０は、凹部１０Ａの上端（上下は、図１における、手前側奥側である。以下同じ）の周縁に設けられたフランジ部１０Ｂ、及びフランジ部１０Ｂの洗い場２側の外縁から垂下して延びるフランジ垂下部１０Ｃを有している（図２、３参照。）。
【００１５】
凹部１０Ａより洗い場２側に位置するフランジ部１０Ｂの左右中央部には、上側傾斜部１０Ｄが形成されている。上側傾斜部１０Ｄは、洗い場２側の浴槽１の側面部３の左右中央上部に設けられ、上方から見た平面視において、洗い場２側に延びた上端縁の左右両端部よりも洗い場２側に突出し、左右中央に向かうにつれて突出する寸法が徐々に大きくなっている。また、凹部１０Ａより洗い場２側に位置するフランジ部１０Ｂの左右両端部は後述するエプロンカバー１２の平面部１２Ａより洗い場２側に突出していない。また、上側傾斜部１０Ｄには洗い場２側に延びた上端縁から洗い場２から離れる方向（すなわち、浴槽１側）に向けて下方に傾斜し、上方に向けて突出して湾曲した湾曲面で形成された上面１０Ｅを有している。
【００１６】
エプロン本体１１は、図２、３に示すように、上下方向に拡がり、ほぼ平板状をなして左右方向に延び、浴槽本体１０の洗い場２側に配置され取り付けられる。また、エプロン本体１１は、図４に示すように、当接部１１Ａ、４つの第１垂下部１１Ｂ、第２垂下部１１Ｃ、６つの係止部１１Ｄ、及び４つの爪部１１Ｅを有している。
当接部１１Ａは、エプロン本体１１の上部に、左右方向に延びて洗い場２側に向けて突出して設けられている。また、当接部１１Ａは、エプロン本体１１の左右中央部において切り欠かれ、左側と右側とに分断されている。
【００１７】
４つの第１垂下部１１Ｂは、当接部１１Ａの下方の近傍であって、当接部１１Ａが延びる左右方向に並んで設けられている。これら第１垂下部１１Ｂは、第１取付け部１１Ｆ、第１基部１１Ｇ、及び第１垂下片１１Ｈを具備している。
第１取付け部１１Ｆは、板状をなし、エプロン本体１１の洗い場２側の面に当接し、ねじＳ１及びナットＮ１でエプロン本体１１に連結されている（図３参照。）。
【００１８】
第１基部１１Ｇは、左右方向に延びており、第１取付け部１１Ｆから洗い場２側に向けて突出している。
第１垂下片１１Ｈは第１基部１１Ｇの先端から下方向に垂下している。つまり、第１垂下部１１Ｂの第１垂下片１１Ｈは下方向に垂下している。
【００１９】
第２垂下部１１Ｃは左側と右側とに分断された当接部１１Ａの間に配置されている（図４参照。）。第２垂下部１１Ｃは、第２取付け部１１Ｊ、第２基部１１Ｋ、及び第２垂下片１１Ｌを具備している。
第２取付け部１１Ｊは、板状をなし、エプロン本体１１の当接部１１Ａが設けられた面に当接し、ねじＳ２及びナットＮ２でエプロン本体１１に連結されている（図２参照。）。また、第２取付け部１１Ｊの上端部は、洗い場２側に向けて傾斜している（図２参照。）。
【００２０】
第２基部１１Ｋは、左右方向に延びており、第２取付け部１１Ｊから洗い場２側に向けて突出している。第２基部１１Ｋの下端面は当接部１１Ａの下端面とほぼ面一である（図示せず。）。
第２垂下片１１Ｌは第２基部１１Ｋの先端から下方向に垂下している。つまり、第２垂下部１１Ｃの第２垂下片１１Ｌは下方向に垂下している。
【００２１】
６つの係止部１１Ｄは、エプロン本体１１の下端部に、洗い場２側に向けて突出して左右方向に延び、当接部１１Ａが延びる方向に並んで設けられている。各係止部１１Ｄの上端面の上下方向の位置は互い同じである。
【００２２】
４つの爪部１１Ｅは、エプロン本体１１の下端部に、各第１垂下部１１Ｂのほぼ真下にそれぞれが配置されている。これら爪部１１Ｅは、回動部１１Ｍ、つまみ部１１Ｎ、爪部本体１１Ｐを有している。
回動部１１Ｍはほぼ平板状をなしている。回動部１１Ｍには板厚方向に貫通して貫通孔が形成されている。各爪部１１Ｅは、外周縁に鍔が形成され挿通孔が形成された筒部材１１Ｑが回動部１１Ｍの貫通孔に挿入され、この筒部材１１Ｑの挿通孔にねじＳ３が挿通され、ねじＳ３及びナットＮ３でエプロン本体１１に連結されている（図３参照。）。各爪部１１ＥはねじＳ３の中心軸周りに回動自在である。
【００２３】
つまみ部１１Ｎは、回動部１１Ｍの下端から下方向に垂下している。
爪部本体１１Ｐは、平板状をなし、回動部１１Ｍの厚みより薄く形成されている。爪部本体１１Ｐは回動部１１Ｍのエプロン本体１１から離れた側の面に沿って回動部１１Ｍの右側から右方向に延びている。
爪部１１Ｅは、図６に示すように、例えばつまみ部１１Ｎに指をかけ、ねじＳ３の中心軸周りに回動させることによって、爪部本体１１Ｐの位置をねじＳ３に対して右側と上側とに変化させることができる。これにより、爪部１１Ｅの爪部本体１１Ｐは後述するエプロンカバー１２の被係止部１２Ｇの長孔１２Ｋに挿抜自在である。また、爪部１１Ｅは、爪部本体１１Ｐの位置がねじＳ３に対して右側から上側、及び上側から右側に不用意に変化しないように、姿勢を保持することができる構成とされている。
【００２４】
エプロンカバー１２は、図２、３に示すように、エプロン本体１１よりも洗い場２側に配置され、上端が浴槽本体１０のフランジ垂下部１０Ｃの下端縁に隣合っている。
また、エプロンカバー１２は、図５に示すように、平面部１２Ａ、下側傾斜部１２Ｂ、屈曲部１２Ｃ、被当接部１２Ｄ、４つの係合部１２Ｅ、及び被係止部１２Ｇを有している。
【００２５】
平面部１２Ａは、上下方向に拡がり、ほぼ平板状をなして左右方向に延びている。
下側傾斜部１２Ｂは、平面部１２Ａの左右中央部の上端部に設けられ、洗い場２側に向けて突出している（図２、３参照。）。つまり、エプロンカバー１２はエプロンカバー１２の上端部である下側傾斜部１２Ｂが下側傾斜部１２Ｂよりも下方に位置する平面部１２Ａに比べて洗い場２側に突出している。下側傾斜部１２Ｂは左右中央に向かうにつれて洗い場２側に突出する寸法が大きくなっている（図１参照。）。
下側傾斜部１２Ｂの上端部は、図２、３に示すように、浴槽本体１０のフランジ垂下部１０Ｃより洗い場２側に位置している。
下側傾斜部１２Ｂの洗い場２側には、平面部１２Ａに向けて下方に傾斜し、上方に向けて窪んで湾曲した湾曲面によって形成され、下端が平面部１２Ａに連続する下面１２Ｊが形成されている。また、下面１２Ｊには、滑り止め部１２Ｈが形成されている。滑り止め部１２Ｈは、例えば、下面１２Ｊにシボ加工が施されて形成されている。
【００２６】
屈曲部１２Ｃは、エプロンカバー１２の上端に連結し、エプロン本体１１側に向けて屈曲している。
被当接部１２Ｄは屈曲部１２Ｃの先端部に左右方向に沿って延び、上方向に突出して設けられている。被当接部１２Ｄの上端面はエプロン本体１１の当接部１１Ａの下端面、及び第２垂下部１１Ｃの第２基部１１Ｋの下端面に当接する。
また、第２垂下部１１Ｃの第２基部１１Ｋの下端面に当接する部分の被当接部１２Ｄは、第２垂下部１１Ｃの第２垂下片１１Ｌに係合する（図２参照。）。第２垂下部１１Ｃの第２基部１１Ｋの下端面に当接する部分の被当接部１２Ｄは、洗い場２側の面が第２垂下片１１Ｌの浴槽本体１０側の面に当接し、浴槽本体１０側の面の上端部が第２取付け部１１Ｊの洗い場２側の面の上端部に当接している（図２参照。）。これにより、エプロンカバー１２の上部の洗い場２側及び浴槽本体１０側への移動を規制することができる。つまり、第２垂下部１１Ｃの第２基部１１Ｋの下端面に当接する部分の被当接部１２Ｄは係合部１２Ｌである（図２、５参照。）。
【００２７】
４つの係合部１２Ｅは、エプロンカバー１２の浴槽本体１０側の面の上端部に、左右方向に並んで設けられている。これら係合部１２Ｅは、左右方向に延びており、エプロンカバー１２の浴槽本体１０側の面から浴槽本体１０側に所定の寸法を設けて離れ、左右両端部が洗い場２側に向けて屈曲し、エプロンカバー１２の浴槽本体１０側の面に連結している。これら係合部１２Ｅの内の内側に配置された２つは下側傾斜部１２Ｂに配置されている（図３、５参照。）。４つの係合部１２Ｅはエプロン本体１１の４つの第１垂下部１１Ｂの第１垂下片１１Ｈにそれぞれが係合される（図３参照。）。各係合部１２Ｅの洗い場２側の面には第１垂下片１１Ｈの浴槽本体１０側の面が当接する（図３参照。）。各係合部１２Ｅが配置された下側傾斜部１２Ｂの浴槽本体１０側の面には、第１垂下片１１Ｈの洗い場２側の面が当接する（図３参照。）。これにより、エプロンカバー１２の上部の洗い場２側及び浴槽本体１０側への移動を規制することができる。
【００２８】
被係止部１２Ｇは、図５に示すように、エプロンカバー１２の下端部に、浴槽本体１０側に向けて突出し、左右方向に延びて設けられている。被係止部１２Ｇは、エプロンカバー１２の左右中央部において切り欠かれ、左側と右側とに分断されている。
また、被係止部１２Ｇには４つの長孔１２Ｋが形成されている。各長孔１２Ｋは左右方向に長く形成されている。各長孔１２Ｋは４つの係合部１２Ｅのほぼ真下にそれぞれが配置されている。被係止部１２Ｇの下端面はエプロン本体１１の係止部１１Ｄの上端面に当接する（図２参照。）。また、被係止部１２Ｇの長孔１２Ｋには、エプロン本体１１の爪部１１Ｅの爪部本体１１Ｐが挿入される（図３、６（Ｂ）参照。）。
【００２９】
次に、浴室Ｂ内に設置された浴槽本体１０に取り付けられたエプロン本体１１にエプロンカバー１２を取り付ける取付け方法を説明する。
【００３０】
先ず、エプロンカバー１２の係合部１２Ｅ及び被当接部１２Ｄの係合部１２Ｌをエプロン本体１１の第１垂下部１１Ｂ及び第２垂下部１１Ｃに係合させる。具体的には、エプロンカバー１２の係合部１２Ｅ及び被当接部１２Ｄの係合部１２Ｌをエプロン本体１１の第１垂下部１１Ｂの第１基部１１Ｇ及び第２垂下部１１Ｃの第２基部１１Ｋの下方に配置する（図７（Ａ）、８（Ａ）参照。）。そして、エプロンカバー１２を上方向に移動させて、第１垂下部１１Ｂの第１垂下片１１Ｈ、及び第２垂下部１１Ｃの第２垂下片１１Ｌに係合部１２Ｅ及び被当接部１２Ｄの係合部１２Ｌを係合させる（図７（Ｂ）、８（Ｂ）参照。）。
【００３１】
次に、図７（Ｃ）に示すように、エプロンカバー１２の被係止部１２Ｇをエプロン本体１１の係止部１１Ｄに係止する。具体的には、エプロンカバー１２の係合部１２Ｅ及び被当接部１２Ｄの係合部１２Ｌをエプロン本体１１の第１垂下部１１Ｂ及び第２垂下部１１Ｃに係合させた状態を保ちつつ、エプロンカバー１２の下側をエプロン本体１１に近づける。そして、エプロンカバー１２の被係止部１２Ｇの下端面をエプロン本体１１の係止部１１Ｄの上端面に当接させて係止する。これにより、エプロンカバー１２がエプロン本体１１に対して下方向に移動することを規制しつつ、係合部１２Ｅ及び被当接部１２Ｄの係合部１２Ｌをエプロン本体１１の第１垂下部１１Ｂ及び第２垂下部１１Ｃに係合させた状態を維持することができる。また、このとき、被当接部１２Ｄの上端面はエプロン本体１１の当接部１１Ａの下端面に当接する（図８（Ｃ）参照。）。
【００３２】
次に、図６（Ａ）、（Ｂ）、図８（Ｃ）に示すように、エプロンカバー１２の被係止部１２Ｇの長孔１２Ｋにエプロン本体１１の爪部１１Ｅの爪部本体１１Ｐを挿入する。具体的には、爪部１１Ｅのつまみ部１１Ｎに手をかけ、爪部１１Ｅを回動させて、ねじＳ３に対する爪部本体１１Ｐの位置を右側から上側に変化させる（図６（Ａ）、（Ｂ）参照。）。こうして、爪部本体１１Ｐをエプロンカバー１２の被係止部１２Ｇの長孔１２Ｋに挿入する。これにより、エプロンカバー１２の下部が洗い場２側へ移動することを規制することができる。こうして、エプロンカバー１２を浴室Ｂ内に設置された浴槽本体１０に取り付けられたエプロン本体１１に取り付ける。
【００３３】
また、浴槽１は手かけ部３０を備えている。手かけ部３０は、図２に示すように、上側傾斜部１０Ｄの上面１０Ｅ、及び下側傾斜部１２Ｂの下面１２Ｊを有している。また、下面１２Ｊには滑り止め部１２Ｈが形成されている。つまり、手かけ部３０は滑り止め部１２Ｈを有している。手かけ部３０は、図１、２に示すように、浴槽１の洗い場２側の側面部３の上部である左右中央上部に設けられている。これにより、浴槽１の左側、又は右側に使用者の体が位置していても、手かけ部３０に手をかけ易い。手かけ部３０は、上方から見た平面視において、洗い場２側に延びたフランジ部１０Ｂの上端縁の左右両端部よりも洗い場２側に突出している（図１参照。）。
【００３４】
上面１０Ｅは、洗い場２側に延びたフランジ部１０Ｂの上端縁から洗い場２から離れる方向に向けて下方に傾斜し、上方に向けて突出して湾曲した湾曲面によって形成されている。上面１０Ｅの下端は下面１２Ｊの上端とほぼ同じ高さである。
【００３５】
下面１２Ｊはエプロンカバー１２の上部に設けられた下側傾斜部１２Ｂに設けられている。下面１２Ｊは、洗い場２側のエプロンカバー１２の平面部１２Ａに向けて下方に傾斜し、上方に向けて窪んで湾曲した湾曲面によって形成され、下端が洗い場２側のエプロンカバー１２の平面部１２Ａに連続している。つまり、エプロンカバー１２は上部に手をかける手かけ部３０を有している。エプロンカバー１２の手かけ部３０の下面１２Ｊは、フランジ垂下部１０Ｃの下端よりも下方で隣合うように配置されている。
手かけ部３０の上面１０Ｅは下面１２Ｊより傾斜が緩やかである。また、手かけ部３０は洗い場２から離れるにつれて上端から下端までの寸法が大きくなっている。ここで、手かけ部３０の上端とは上面１０Ｅの上端である。また、手かけ部３０の下端とは下面１２Ｊの下端である。
【００３６】
使用者が洗い場２側から手かけ部３０に手をかける際、使用者の手の指は、図９（Ａ）、（Ｂ）に示すように、親指と他の指とが互いに対向し、指先に向かうに従って互いの間が広がる格好になる。そして、手かけ部３０は洗い場２から離れるにつれて上端から下端までの寸法が大きくなっている。つまり、使用者の手の格好と手かけ部３０の左右方向に直交する方向の断面形状とが似ているため、使用者の手の大きさが異なる場合でも、手かけ部３０に良好に手をかけることができる。
また、使用者が浴槽本体１０側から手かけ部３０に手をかける際、使用者の手の平は、図１０（Ａ）、（Ｂ）に示すように、使用者の手の大きさが異なる場合でも、上側傾斜部１０Ｄの上面１０Ｅに沿って当接し、指先が下側傾斜部１２Ｂの下面１２Ｊに確実に当接する。これにより、浴槽１は浴槽本体１０側からも手かけ部３０に良好に手をかけることができる。
【００３７】
また、エプロンカバー１２の被当接部１２Ｄの上端面がエプロン本体１１の当接部１１Ａの下端面に当接している（図３参照）ため、使用者が手かけ部３０を掴んでも、エプロンカバー１２が上方向に撓むことを抑えることができる。
【００３８】
また、エプロンカバー１２の被当接部１２Ｄの係合部１２Ｌの上端面がエプロン本体１１の第２垂下部１１Ｃの第２基部１１Ｋの下端面に当接している（図２参照）ため、使用者が手かけ部３０の第２垂下部１１Ｃが設けられた場所を掴んでも、エプロンカバー１２が上方向に撓むことを抑えることができる。
また、エプロンカバー１２の被当接部１２Ｄの係合部１２Ｌの浴槽本体１０側の面の上端部がエプロン本体１１の第２垂下部１１Ｃの第２取付け部１１Ｊの洗い場２側の面の上端部に当接している（図２参照）ため、使用者が手かけ部３０の第２垂下部１１Ｃが設けられた場所を掴んでも、浴槽本体１０側に向けてエプロンカバー１２が撓むことを抑えることができる。
また、エプロンカバー１２の被当接部１２Ｄの係合部１２Ｌの洗い場２側の面がエプロン本体１１の第２垂下片１１Ｌの浴槽本体１０側の面に当接している（図２参照）ため、使用者が手かけ部３０の第２垂下部１１Ｃが設けられた場所を掴んでも、洗い場２側に向けてエプロンカバー１２が撓むことを抑えることができる。
【００３９】
また、エプロンカバー１２の４つの係合部１２Ｅの内の内側に配置された２つが手かけ部３０に設けられて（図３、５参照）いる。そして、係合部１２Ｅの洗い場２側の面には、第１垂下部１１Ｂの第１垂下片１１Ｈの浴槽本体１０側の面が当接しているため、使用者が手かけ部３０の係合部１２Ｅが設けられた場所を掴んでも、洗い場２側に向けてエプロンカバー１２が撓むことを抑えることができる。
また、各係合部１２Ｅが配置された下側傾斜部１２Ｂの浴槽本体１０側の面には、第１垂下片１１Ｈの洗い場２側の面が当接しているため、使用者が手かけ部３０の係合部１２Ｅが設けられた場所を掴んでも、浴槽本体１０側に向けてエプロンカバー１２が撓むことを抑えることができる。
【００４０】
このように、浴槽１は、手をかけられる頻度が少ない洗い場２側に延びた上端縁の左右両端部よりも、洗い場２側の側面部の左右中央上部が洗い場２側に突出した手かけ部３０を備えている。このため、上方から見た平面視において、浴槽１は、手をかける頻度が少ない洗い場２側に延びた上端縁の左右両端部が洗い場２側に突出することを抑えることによって、洗い場２の領域を占有することを抑えることができる。
【００４１】
したがって、本発明の浴槽１は使い勝手が良い。
【００４２】
また、浴槽１の手かけ部３０は、洗い場２から離れるにつれて上端から下端までの寸法が大きい。使用者が洗い場２側から手かけ部３０に手をかける際、使用者の手の指は、親指と他の指とが互いに対向し、指先に向かうに従って互いの間が広がる格好になる。このため、浴槽１は、洗い場２に居る使用者が手かけ部３０に手を延ばした際、手の指の格好が手かけ部３０の形に沿い易く、手をかけ易い。
【００４３】
また、浴槽１の手かけ部３０は、洗い場２側の側面部３に向けて下方に傾斜し、上方に向けて窪んで湾曲した湾曲面によって形成され、下端が洗い場２側の側面部３に連続した下面１２Ｊを有し、上面１０Ｅが下面１２Ｊより傾斜が緩やかである。このため、この浴槽１の手かけ部３０は、上方に向けて窪んで湾曲した湾曲面によって形成された下面１２Ｊを有しているため、使用者の手の指に馴染み易い。また、上面１０Ｅが下面１２Ｊより傾斜が緩やかであるため、使用者が上面１０Ｅに手をかけ易く体重を預け易い。
【００４４】
本発明は上記記述及び図面によって説明した実施例１に限定されるものではなく、例えば次のような実施例も本発明の技術的範囲に含まれる。
（１）実施例１では、滑り止め部は下面にシボ加工が施された部分であるが、ゴムやエラストマー等で形成された部材を貼着してもよい。
（２）実施例１では、手かけ部の上側傾斜部の上面、及び下側傾斜部の下面が湾曲した湾曲面で形成されているが、上側傾斜部の上面、及び下側傾斜部の下面を平面で形成してもよい。また、上側傾斜部の上面、及び下側傾斜部の下面を湾曲面及び平面で形成してもよい。
（３）第１垂下部、第２垂下部、係止部、爪部、係合部、及び被係止部に形成する長孔の数は、実施例１に開示された数に限定されない。
（４）実施例１では、被当接部の上端面が当接部の下端面、及び第２基部の下端面に当接し、被当接部の洗い場側の面が第２垂下片の浴槽本体側の面に当接し、浴槽本体側の面が第２取付け部の洗い場側の面の上端部に当接しているが、隙間を設けてもよい。
（５）実施例１では、下側傾斜部をエプロンカバーと一体的に形成しているが、エプロンカバーと別体で形成した下側傾斜部をエプロンカバーに連結してもよい。
（６）実施例１では、手かけ部が浴槽の洗い場側の側面部の左右中央上部に設けられているが、手かけ部を浴槽の洗い場側の側面部の左側又は右側の上部に設けてもよい。
（７）実施例１では、手かけ部が上方から見た平面視において、洗い場側に延びたフランジ部の上端縁の左右両端部よりも洗い場側に突出しているが、手かけ部が、浴槽の左端、又は右端まで延びていてもよい。つまり、手かけ部が洗い場側に延びた上端縁の少なくとも両端部のいずれか一方よりも洗い場側に突出している。
【符号の説明】
【００４５】
１…浴槽
２…洗い場
３…側面部
１０Ｅ…上面
１２Ｊ…下面
３０…手かけ部
Ｂ…浴室
【図１】
2020028366.tif 000003
【図２】
2020028366.tif 000004
【図３】
2020028366.tif 000005
【図４】
2020028366.tif 000006
【図５】
2020028366.tif 000007
【図６】
2020028366.tif 000008
【図７】
2020028366.tif 000009
【図８】
2020028366.tif 000010
【図９】
2020028366.tif 000011
【図１０】
2020028366.tif 000012